(57)【要約】【課題】  製造工程および材料を削減することにより、生産性を向上させることができるとともに、低コスト化が図れる襖を提供すること。【解決手段】  四角枠状に形成された周囲骨１５の内側に左右方向に延びる横組子１６と上下方向に延びる竪組子１７とを格子状に組み付けて形成された枠体１８と、枠体１８の表面と裏面とにそれぞれ張り付けられた耐水高圧紙からなる下張り紙２２と裏面紙１４とで襖１０の基体を構成した。そして、裏面紙１４の表面に化粧用の絵柄をグラビア印刷により施した。そして、下張り紙２２の表面側に化粧用の絵柄が施された上張り紙１２を張り付けた。さらに、裏面紙１４の単位面積当たりの質量が、下張り紙２２の単位当たりの質量と上張り紙１２の単位当たりの質量との合計質量と略等しくなるようにした。【選択図】  図４
2005226276.tif 000002
【特許請求の範囲】
【請求項１】
四角枠状に形成された周囲骨の内側に左右方向に延びる横組子と上下方向に延びる竪組子とを格子状に組み付けて形成された枠体と、前記枠体の表面と裏面とにそれぞれ張り付けられた耐水高圧紙からなる下張り紙とで基体が構成される襖であって、
前記枠体の裏面に張り付けられた下張り紙の表面に化粧用の絵柄が印刷されていることを特徴とする襖。
【請求項２】
前記絵柄の印刷がグラビア印刷によって行われている請求項１に記載の襖。
【請求項３】
前記枠体の表面に張り付けられた下張り紙の表面側に化粧用の絵柄が施された上張り紙が張り付けられている請求項１または２に記載の襖。
【請求項４】
前記枠体の裏面に張り付けられた下張り紙の単位面積当たりの質量が、前記枠体の表面に張り付けられた下張り紙の単位当たりの質量と前記上張り紙の単位当たりの質量との合計質量と略等しくなるようにした請求項３に記載の襖。
【発明の詳細な説明】
【技術分野】
【０００１】
本発明は、部屋と部屋との間を仕切ったり、部屋と押し入れとの間を仕切ったりするために用いられる襖に関する。
【背景技術】
【０００２】
従来から、家屋における部屋と部屋との間を仕切ったり、部屋と押し入れとの間を仕切ったりするために襖が用いられている。このような襖は、一般に、四角枠状に形成された周囲骨の内側に左右方向に延びる横組子と上下方向に延びる竪組子とをそれぞれ一定間隔で配置して格子状に組み付けて枠体が構成されている。そして、枠体の表面と裏面とにそれぞれ下張り紙を張り付けて襖の基体が形成されている。さらに、両下張り紙の表面（外面）にそれぞれ絵柄が施された化粧用の上張り紙を張り付け、その状態の枠体の外側部に枠状の周囲縁を取り付けて襖が形成されている（例えば、特許文献１参照）。
【特許文献１】特開平９−１１２１４５号公報
【発明の開示】
【０００３】
しかしながら、前述した襖では、枠体を挟んで表面と裏面とにそれぞれ下張り紙と上張り紙が張り付けられているため、製造工程が多くなり組付け作業が煩雑になるという問題がある。また、襖の中には、さらに多層からなる紙やシートを用いたものもあり、これによるとさらに製造工程が増えて作業が煩雑になる。また、その結果、製造コストが高くなるという問題も生じる。また、下張り紙として、染色によって絵柄を施したすいた紙を用いた場合、色むらが生じて見栄えが悪くなるという問題が生じる。
【０００４】
本発明は、前述した問題に対処するためになされたもので、その目的は、製造工程および材料を削減することにより、生産性を向上させることができるとともに、低コスト化が図れる襖を提供することである。
【０００５】
前述した目的を達成するため、本発明に係る襖の構成上の特徴は、四角枠状に形成された周囲骨の内側に左右方向に延びる横組子と上下方向に延びる竪組子とを格子状に組み付けて形成された枠体と、枠体の表面と裏面とにそれぞれ張り付けられた耐水高圧紙からなる下張り紙とで基体が構成される襖であって、枠体の裏面に張り付けられた下張り紙の表面に化粧用の絵柄が印刷されていることにある。
【０００６】
このように本発明に係る襖では、枠体の裏面には、表面に絵柄が印刷された下張り紙だけを張り付けて、上張り紙は用いないようにしている。したがって、襖の裏面側の上張り紙を張り付けるための作業および裏面側の上張り紙が不要になり、生産性が向上するとともに低コスト化が可能になる。また、この場合、襖の裏面側の下張り紙だけでなく、表面側の下張り紙にも化粧用の絵柄を印刷して、表面側の上張り紙も省略することができる。これによると、さらに、生産性および低コスト化が可能になる。
【０００７】
また、本発明に係る襖の他の構成上の特徴は、絵柄の印刷がグラビア印刷によって行われていることにある。襖の裏面に施される模様としては、雲花紙のように、一色の色に濃淡をつけて色の変化や明暗を表現したものが一般的である。グラビア印刷は、このような色の濃淡の表現に優れた印刷方法であるため、襖の裏面に施される模様の印刷に適しており、これによって風合いのある絵柄の印刷が可能になる。また、襖に使用する下張り紙のように、大きな紙を多量に印刷する場合にもグラビア印刷は適しており、この点でもグラビア印刷が好適である。
【０００８】
また、本発明に係る襖のさらに他の構成上の特徴は、枠体の表面に張り付けられた下張り紙の表面側に化粧用の絵柄が施された上張り紙が張り付けられていることにある。この場合の上張り紙としては、鳥の子紙等からなる襖紙を用いることができ、これによると、襖の表面にふさわしい華やかな絵柄を施すことができる。この襖は、特に、部屋と押入れとの間に設置するための襖としての使用に適しており、この場合、部屋側に襖の表面を向け押し入れ側に襖の裏面を向ける。
【０００９】
また、本発明に係る襖のさらに他の構成上の特徴は、枠体の裏面に張り付けられた下張り紙の単位面積当たりの質量が、枠体の表面に張り付けられた下張り紙の単位当たりの質量と上張り紙の単位当たりの質量との合計質量と略等しくなるようにしたことにある。
【００１０】
襖には、張り付けられる紙から受ける張力に応じて反りが入ることがあり、この反りには、紙の質量が大きく影響する。このため、枠体の裏面に張り付けられる下張り紙の単位当たりの質量を、表面に張り付けられる下張り紙と上張り紙との単位当たりの合計質量と略等しくすることにより、襖の表裏にそれぞれかかる張力にバランスがとれ反りが生じ難くなる。例えば、下張り紙に使用される耐水高圧紙の質量は、３５０ｇ／ｍ2程度で、厚みは、０．５２ｍｍ程度である。
【００１１】
したがって、この耐水高圧紙を襖の表面の下張り紙として使用し、上張り紙として、質量が１００ｇ／ｍ2程度の鳥の子紙を使用した場合、襖の裏面の下張り紙として、質量が４５０ｇ／ｍ2程度の耐水高圧紙を使用すると、枠体の表裏にかかる張力のバランスが取れて反りが生じ難くなる。また、下張り紙と上張り紙とが同程度の質量の紙であれば、枠体の裏面に張り付けられる下張り紙の厚みを、表面に張り付けられる下張り紙と上張り紙との合計厚みと略等しくすることにより、襖の表裏にそれぞれかかる張力のバランスを取ることができる。
【発明を実施するための最良の形態】
【００１２】
以下、本発明の一実施形態を図面を用いて説明する。図１および図２は同実施形態に係る襖１０を示している。この襖１０は、家屋における和室と押入れとの間に設置され、押入れを開閉するためのもので左右対称に形成された２枚１組（一方の襖しか図示せず）で使用される。この襖１０としては、２枚の襖１０を平行にスライドさせることにより開閉する方式のものや、２枚の襖１０を観音開きにより開閉する方式のものがある。この襖１０の外郭部は、左右両側で上下に延びる竪縁１１ａ，１１ｂと上下両側で左右に延びる横縁１１ｃ，１１ｄとで四角枠状に形成された周囲縁１１で構成されている。
【００１３】
また、図１に示したように、襖１０の表面における周囲縁１１の内側部分には、表面に絵柄（図示せず）が施された鳥の子紙からなる上張り紙１２が張り付けられ、その上下方向の略中央における左右方向の一方側に引手１３が設けられている。２枚１組で使用されるもう一方の襖は、この引手が左右方向の他方側に設けられており、それ以外は、この襖１０と同じ構成になっている。また、図２は、襖１０の裏面を示しており、襖１０の裏面における周囲縁１１の内側部分には、表面（外側の面）に絵柄が施された耐水高圧紙からなる下張り紙としての裏面紙１４が張り付けられている。この裏面紙１４の表面には、一般に、雲花紙に施されている絵柄（図示せず）が印刷により設けられている。
【００１４】
襖１０の内部は、図３および図４に示したように構成されている。すなわち、周囲縁１１の内側には、左右両側で上下に延びる竪かまち１５ａ，１５ｂと上下両側で左右に延びる横かまち１５ｃ，１５ｄとからなる四角枠状の周囲骨１５が形成されている。そして、襖１０の内部における竪かまち１５ａ，１５ｂの内面には、上下方向に一定間隔を保って、左右に延びる複数の横組子１６が掛け渡され、横かまち１５ｃ，１５ｄの内面には、左右方向に一定間隔を保って、上下に延びる複数の竪組子１７が掛け渡されている。この竪かまち１５ａ，１５ｂ、横かまち１５ｃ，１５ｄ、横組子１６および竪組子１７で枠体１８が構成されている。そして、竪かまち１５ａ，１５ｂと横かまち１５ｃ，１５ｄで構成される周囲骨１５の四隅の角部内部側に、それぞれ隅板１９が取り付けられている。
【００１５】
また、枠体１８における引手１３が取り付けられる部分には、四角板状の引手アンコ板２１が設けられており、引手１３は、この引手アンコ板２１を介して襖１０に取り付けられている。そして、枠体１８の表面側には、耐水高圧紙からなる下張り紙２２が張り付けられている。枠体１８と、裏面紙１４と、下張り紙２２とで、襖１０の基体が構成されている。また、下張り紙２２の外側の面には、前述した上張り紙１２が張り付けられている。これらの裏面紙１４、下張り紙２２および上張り紙１２は、順次枠体１８の裏面と表面に張り付けられることにより枠体１８に取り付けられている。そして、その外側面に周囲縁１１が取り付けられて襖１０が構成されている。
【００１６】
このように構成された襖１０は、つぎのようにして製造される。まず、襖１０の各部分を構成する各種の材料が加工により予め設計された所定の形状に形成される。この場合、周囲縁１１、周囲骨１５、横組子１６、竪組子１７、隅板１９および引手アンコ板２１に使用される材料としては、杉やひのき等の木材が使用され、これらをそれぞれ設計された寸法の形状に加工する。そして、周囲骨１５を構成する竪かまち１５ａ，１５ｂと横かまち１５ｃ，１５ｄ、横組子１６および竪組子１７を順次組み付けることにより枠体１８を形成する。そして、枠体１８の所定部分に、それぞれ隅板１９と引手アンコ板２１とを取り付ける。この際、必要に応じて、接着剤やねじ等の固着具も用いる。
【００１７】
ついで、枠体１８の表面に下張り紙２２を張り付け、枠体１８の裏面に裏面紙１４を張り付ける。下張り紙２２としては、質量が、略３５０ｇ／ｍ2の耐水高圧紙で構成され印刷や着色処理は特に施されてなく原色をしたものを用いる。また、裏面紙１４としては、質量が、略４５０ｇ／ｍ2の耐水高圧紙で構成され表面（押入れ側の面）にグラビア印刷による絵柄が施されたものを用いている。このグラビア印刷は、銅版の表面に絵柄を形成するための凹部を設け、この凹部にインキを入れて、銅版を紙に押し付けることにより紙に絵柄を転写するもので、凹部の深さに応じて色の濃淡を調節できるようになっている。このグラビア印刷によって、裏面紙１４の表面には雲花紙特有の濃淡のある絵柄が施されている。
【００１８】
この下張り紙２２と裏面紙１４とは、それぞれのりが付着された枠体１８の表面と裏面とに押し付けられることによりのり付けされて枠体１８に張り付けられている。つぎに、枠体１８の表面に下張り紙２２を覆うようにして上張り紙１２を張り付ける。上張り紙１２は、質量が、略１００ｇ／ｍ2の鳥の子紙で構成され表面に鳥の子紙特有の絵柄が染色により施されている。この上張り紙１２はすいた紙で構成されて、襖紙独特の風合いをかもし出せるようにしている。
【００１９】
この上張り紙１２は、外周縁部が枠体１８の外側面に沿って折り曲げられ、その折曲げられた部分がのり付けされて枠体１８に張り付けられている。すなわち、この上張り紙１２は枠体１８の外側面だけに貼り付けられ、中央部分はのり付けせずに下張り紙２２に当てるだけのいわゆる「浮かし張り」にされている。これによって、枠体１８の骨組が表面に現れることが防止され上張り紙１２の風合いを出すことができる。
【００２０】
また、裏面紙１４の単位面積当たりの質量と、下張り紙２２と上張り紙１２との単位面積当りの合計質量とが等しくなるため、枠体１８の表面側に掛かる張力と枠体１８の裏面側に掛かる張力とが略等しくなり、枠体１８に反りが生じなくなる。つぎに、上張り紙１２等の各紙が張り付けられた枠体１８の外側面に、竪縁１１ａ，１１ｂと横縁１１ｃ，１１ｄとで構成される周囲縁１１を取り付ける。この取り付けは、ねじ等を用いて行われる。
【００２１】
そして、上張り紙１２における引手アンコ板２１に対応する部分に引手１３を取り付ける。この引手１３は軽合金からなっており、中央が凹部になり外周縁部にフランジ状の鍔部が設けられた形状に形成されている。また、引手アンコ板２１の中央には、引手１３の凹部を構成する部分を押し込める凹部が形成されており、引手１３の凹部側部分を引手アンコ板２１の凹部に押し込むことにより、引手１３は上張り紙１２と下張り紙２２を突き破って引手アンコ板２１内に固定される。このとき、引手１３の鍔部は、上張り紙１２の表面に位置する。これによって、図１および図２に示した襖１０が得られる。
【００２２】
このように、本実施形態に係る襖１０では、枠体１８の裏面には、表面に絵柄が印刷された裏面紙１４だけを張り付けて、上張り紙は用いていない。したがって、襖１０の裏面側の上張り紙を所定の大きさに切断したり張り付けたりするための作業が不要になる。このため、上張り紙を張り付けるための作業工程は従来の半分になり、生産性が大幅に向上する。また、裏面側の上張り紙が不要になるため、その分材料の低コスト化が可能になる。
【００２３】
さらに、裏面紙１４への絵柄の印刷をグラビア印刷によって行っているため、色の濃淡の表現に優れた風合いのある絵柄の印刷が可能になる。また、この襖１０の表面には、下張り紙２２と表面に絵柄が施された上張り紙１２が張り付けられているため、この襖１０は、特に、部屋と押入れとの間に設置するための襖としての使用に適したものとなる。
【００２４】
また、本実施形態に係る襖１０では、枠体１８を挟んで表面側と裏面側に掛かる紙の張力が等しくなるようにしている。したがって、枠体１８の裏面に裏面紙１４だけを張り付けて、枠体１８の表面には下張り紙２２と上張り紙１２との二枚の紙を張り付けても襖１０には反りが生じなくなる。これによって、襖１０の反りによって押入れの開閉がし難くなったり、二枚一組の襖１０が互いに干渉し合って破損しやすくなったりすることを防止できる。
【００２５】
また、本発明に係る襖は、前述した実施形態に限定するものでなく、適宜変更することができる。例えば、前述した実施形態では、上張り紙１２を鳥の子紙としたが、この上張り紙１２としては、鳥の子紙の他、新鳥の子紙やビニール紙等を用いてもよい。また、枠体１８の各部分や周囲縁１１を構成する材料としては、杉やひのきの他、ジェルトンやプライ等の無節材を使用することができる。さらに、引手１３は軽合金に限らず、合成樹脂や木材で構成してもよい。
【００２６】
また、前述した実施形態では、襖１０の表面には、下張り紙２２と上張り紙１２との二枚の紙を張り付けているが、表面側の下張り紙２２に化粧用の絵柄を印刷して、上張り紙１２を省略することもできる。この場合、下張り紙２２の単位面積当たりの質量は、裏面紙１４の単位面積当たりの質量と同じに設定して襖に反りが入らないようにしておく。これによると、さらに、作業工程が少なくなり、生産性および低コスト化が可能になる。また、前述した実施形態では、襖１０を部屋と押入れとの間に設置するようにしたが、この襖１０は、部屋と部屋との間に設置してもよい。さらに、この発明にかかる襖のそれ以外の部分の構成についても本発明の技術的範囲内で適宜変更して実施することが可能である。
【図面の簡単な説明】
【００２７】
【図１】本発明の一実施形態による襖の表面を示す正面図である。
【図２】図１に示した襖の裏面を示す背面図である。
【図３】図１に示した襖の内部構造を示す一部切り欠き正面図である。
【図４】図２に示した襖の内部構造を示す一部切り欠き背面図である。
【符号の説明】
【００２８】
１０…襖、１１…周囲縁、１２…上張り紙、１４…裏面紙、１５…周囲骨、１５ａ，１５ｂ…竪かまち、１５ｃ，１５ｄ…横かまち、１６…横組子、１７…竪組子、１８…枠体、２２…下張り紙。
【図１】
2005226276.tif 000003
【図２】
2005226276.tif 000004
【図３】
2005226276.tif 000005
【図４】
2005226276.tif 000006